(57)【要約】【課題】電気的なノイズの発生を可及的に防止でき、かつコンパクト化を図ることのできる電子機器を提供すること。【解決手段】フレキシブルケーブルが一側縁から引き出された表示パネルを、金属製の支持板により下方から抱持して構成した表示パネルユニットと、前記フレキシブルケーブルを介して前記表示パネルに接続され、当該表示パネルの駆動を制御する制御基板と、を筐体内に収納した電子機器において、前記フレキシブルケーブルの基端側を折り返し、当該フレキシブルケーブルの先端部を前記表示パネルと前記支持板との間を沿わせるとともに、前記支持板に形成した開口を介してさらに折り返し、前記支持板の裏面に沿わせて伸延させて前記制御基板に接続した。【選択図】図２
2010186080.tif 000002
【特許請求の範囲】
【請求項１】
フレキシブルケーブルが一側縁から引き出された表示パネルを、金属製の支持板により下方から抱持して構成した表示パネルユニットと、
前記フレキシブルケーブルを介して前記表示パネルに接続され、当該表示パネルの駆動を制御する制御基板と、を筐体内に収納した電子機器において、
前記フレキシブルケーブルの基端側を折り返し、当該フレキシブルケーブルの先端部を前記表示パネルと前記支持板との間を沿わせるとともに、前記支持板に形成した開口を介してさらに折り返し、前記支持板の裏面に沿わせて伸延させて前記制御基板に接続したことを特徴とする電子機器。
【請求項２】
前記フレキシブルケーブルを保護する絶縁フィルムを設けたことを特徴とする請求項１に記載の電子機器。
【請求項３】
前記絶縁フィルムを、前記支持板に対向する前記フレキシブルケーブルの一側面に設けたことを特徴とする請求項２に記載の電子機器。
【請求項４】
前記絶縁フィルムを、前記フレキシブルケーブルと対向する前記支持板の表面に設けたことを特徴とする請求項２に記載の電子機器。
【請求項５】
前記筐体と前記支持板の裏面との間に、前記フレキシブルケーブルを押圧して保持する押圧部材を設けたことを特徴とする請求項１〜４のいずれか１項に記載の電子機器。
【請求項６】
前記押圧部材を金属で形成したことを特徴とする請求項５に記載の電子機器。
【請求項７】
前記押圧部材をフェライトコアで形成したことを特徴とする請求項５に記載の電子機器。
【請求項８】
前記フレキシブルケーブルが伸延する側に前記制御基板が位置するように、当該制御基板と前記表示パネルユニットとを互いに近接並置したことを特徴とする請求項１〜７のいずれか１項に記載の電子機器。
【請求項９】
前記フレキシブルケーブルは、前記制御基板と接続する前記先端部に至るまで、前記支持板の底板に沿った状態で配設されていることを特徴とする請求項１〜８のいずれか１項に記載の電子機器。
【発明の詳細な説明】
【技術分野】
【０００１】
本発明は、電子機器に関し、より詳しくは、デジタルコンテンツを表示可能な表示パネルを備えた表示装置として機能する電子機器に関するものである。
【背景技術】
【０００２】
従来、この種の電子機器として、例えば液晶表示装置を用いた表示パネルを具備し、テキストデータや静止画像データ、あるいはこれらが組み合わされたデジタルコンテンツを表示する表示装置として用いられている。
【０００３】
かかる表示装置は、表示パネルと基板とを接続するために、一般にフレキシブルケーブルを用いているが、かかるフレキシブルケーブルはアンテナとなりやすいため、ＥＭＩ（不要輻射）が発生しやすくなっている。また、かかる表示装置では、絶えずそのコンパクト化が追求されていることは言うまでもない。
【０００４】
そこで、基板上の素子の中で比較的に厚みのあるコントローラＩＣや入力コネクタをパネル部分と重ならないように回路基板の端部に配置することにより表示装置全体を薄型化し、それにより、入力コネクタとコントローラＩＣ間の高周波信号配線も短くしてＥＭＩのノイズレベルの低減を図ったものがあった（例えば、特許文献１を参照。）。
【先行技術文献】
【特許文献】
【０００５】
【特許文献１】特開２０００−２８４３１１号公報
【発明の概要】
【発明が解決しようとする課題】
【０００６】
しかし、上記従来の表示装置は、高周波信号配線が短くなったとはいえ、かかる高周波信号配線となるフレキシブルケーブルへの工夫は何ら施されておらず、アンテナとして機能してしまうことを防ぐことはできないため、ＥＭＩの低減、すなわち、ＥＭＣ（電磁環境適合性）の対策については、未だ十分とは言えなかった。
【０００７】
そこで、本発明は、ＥＭＩの発生を防止して電気的なノイズの発生を可及的に防止できるとともに、なおかつコンパクト化を図ることのできる電子機器を提供することを目的とする。
【課題を解決するための手段】
【０００８】
上記目的を達成するために、請求項１に記載の発明は、フレキシブルケーブルが一側縁から引き出された表示パネルを、金属製の支持板により下方から抱持して構成した表示パネルユニットと、前記フレキシブルケーブルを介して前記表示パネルに接続され、当該表示パネルの駆動を制御する制御基板と、を筐体内に収納した電子機器において、前記フレキシブルケーブルの基端側を折り返し、当該フレキシブルケーブルの先端部を前記表示パネルと前記支持板との間を沿わせるとともに、前記支持板に形成した開口を介してさらに折り返し、前記支持板の裏面に沿わせて伸延させて前記制御基板に接続した。
【０００９】
また、請求項２に記載の発明は、請求項１に記載の電子機器において、前記フレキシブルケーブルを保護する絶縁フィルムを設けたことを特徴とする。
【００１０】
また、請求項３に記載の発明は、請求項２に記載の電子機器において、前記絶縁フィルムを、前記支持板に対向する前記フレキシブルケーブルの一側面に設けたことを特徴とする。
【００１１】
また、請求項４に記載の発明は、請求項２に記載の電子機器において、前記絶縁フィルムを、前記フレキシブルケーブルと対向する前記支持板の表面に設けたことを特徴とする。
【００１２】
また、請求項５に記載の発明は、請求項１〜４のいずれか１項に記載の電子機器において、前記筐体と前記支持板の裏面との間に、前記フレキシブルケーブルを押圧して保持する押圧部材を設けたことを特徴とする。
【００１３】
また、請求項６に記載の発明は、請求項５に記載の電子機器において、前記押圧部材を金属で形成したことを特徴とする。
【００１４】
また、請求項７に記載の発明は、請求項５に記載の電子機器において、前記押圧部材をフェライトコアで形成したことを特徴とする。
【００１５】
また、請求項８に記載の発明は、請求項１〜７のいずれか１項に記載の電子機器において、前記フレキシブルケーブルが伸延する側に前記制御基板が位置するように、当該制御基板と前記表示パネルユニットとを互いに近接並置したことを特徴とする。
【００１６】
また、請求項９に記載の発明は、請求項１〜８のいずれか１項に記載の電子機器において、前記フレキシブルケーブルは、前記制御基板と接続する前記先端部に至るまで、前記支持板の底板に沿った状態で配設されていることを特徴とする。
【発明の効果】
【００１７】
本発明によれば、フレキシブルケーブルが一側縁から引き出された表示パネルを、金属製の支持板により下方から抱持して構成した表示パネルユニットを備え、前記フレキシブルケーブルの先端部を前記表示パネルと前記金属製の支持板との間を沿わせ、当該支持板に形成した開口を介してさらに折り返して支持板の裏面に沿わせて伸延させて制御基板に接続したため、フレキシブルケーブルによるＥＭＩの発生を防止し、電気的なノイズの発生を可及的に防止することができる。
【図面の簡単な説明】
【００１８】
【図１】電子機器の一例である表示装置の正面視による説明図である。
【図２】同表示装置の横断面図である。
【図３】表示パネルユニットの分解斜視図である。
【図４】フレキシブルケーブルを保護する絶縁部材の取付状態の一例を示す説明図である。
【図５】同絶縁部材の取付状態の一例を示す説明図である。
【図６】変形例に係る表示装置の横断面図である。
【図７】同変形例における絶縁部材の取付状態の一例を示す説明図である。
【発明を実施するための形態】
【００１９】
以下、本発明の一実施形態について、図面を参照して説明する。ここでは、電子機器として、デジタルコンテンツを表示する、所謂「電子ブック」等として使用される表示装置を例に挙げて説明する。
【００２０】
本実施形態に係る表示装置は、図１に示すように、略矩形形状の筐体１の表面に形成された矩形窓部１０を介して液晶パネルからなる表示パネル２の表示画面２ａが視認可能となっており、矩形窓部１０の右側には、表示画面内の領域選択ボタン群３１や電源ボタンなどを含む各種操作ボタン群３２を有する操作部３が設けられている。また、筐体１の一側側面部には図示しないスロット部が形成されており、デジタルコンテンツデータが記録された記録媒体を装着可能としている。
【００２１】
図２に示すように、筐体１は、前記矩形窓部１０が形成され、この矩形窓部１０に透明保護板１０ａを嵌着した上ケース１１と、複数の補強リブが内側に形成された下ケース１２とが付き合わされた構成となっている。そして、筐体１の内部には、一側縁からフレキシブルケーブル５が引き出された表示パネル２を有する表示パネルユニット２０と、フレキシブルケーブル５を介して表示パネル２に接続され、当該表示パネル２の動作を制御する制御基板６とが互いに左右に隣接するようにして収納されている。なお、この制御基板６の上に前記操作部３は配置されることになる。
【００２２】
図２及び図３に示すように、表示パネルユニット２０は、四方外周に立縁部７１が形成され、表示パネル２を下方から抱持状態で収容可能な金属製の支持板７と、この支持板７に表示パネル２を安定した状態で収容させるために、表示パネル２の周縁の表面及び側面に当接するように、当該表示パネル２の表面側に配設される矩形枠体８とを備えるとともに、かかる表示パネルユニット２０と筐体１との間に配設された弾性体により枠状に形成されて防水機能と緩衝機能とを有するパッキン９を備えている。
【００２３】
また、図２に示すように、制御基板６と金属製の支持板７とは、支持板７の右側端部に対して制御基板６の左端部が一部下方に重合するように位置しており、両者を可及的に近接させて、表示装置のコンパクト化が図られている。なお、図２中、符号３１ａで示したものは領域選択ボタン、符号６０で示したものは接続端子、また、符号６１で示したものは、制御基板６上に設けられたＩＣチップなどの半導体装置である。
【００２４】
このように、表示パネルユニット２０と制御基板６とを左右に並設して、表示画面２ａの横手側に操作部３が設けられたコンパクトな構成としているため、本表示装置をユーザは片手（右手）で持ちながら操作部３の操作を行い、所望するデジタルコンテンツを見ることができる。
【００２５】
上記構成の表示装置において、本実施形態では、図２及び図３に示すように、フレキシブルケーブル５の基端側をなす基端部５０を折り返し、当該フレキシブルケーブル５の先端部をなす帯部５１を、表示パネル２と金属製の支持板７との間を沿わせるとともに、支持板７に形成した矩形開口７２（図３参照）を介してさらに折り返し、前記支持板７の裏面に沿わせて伸延させて制御基板６の接続端子６０に接続した構成としている。
【００２６】
かかる構成により、フレキシブルケーブル５は金属製の支持板７に近接して配設されることになり、金属製の支持板７がフレキシブルケーブル５をシールドすることになって、フレキシブルケーブル５によるＥＭＩの発生を防止し、電気的なノイズの発生を可及的に防止することができる。
【００２７】
特に、前述したように、制御基板６は、支持板７の右側端部に対してその左端部が一部下方に重合するように位置し、フレキシブルケーブル５は、制御基板６の接続端子６０に接続する先端部に至るまで、支持板７の底板７０に沿った状態で配設されている。したがって、平面視でフレキシブルケーブル５の先端部が支持板７の外縁から突き出ることがなく、フレキシブルケーブル５を支持板７により確実にシールドすることが可能となって、電気的なノイズの発生の防止効果をより高めることができる。
【００２８】
以下、表示装置の特徴的な構成について、より詳細に説明する。
図３に示すように、表示パネル２は、縦長の矩形形状をしており、その長辺、短辺側それぞれが粘着テープ２１を介して金属製の支持板７の底板７０に保持されている。また、この表示パネル２の右側端縁にはフレキシブルケーブル５が取り付けられており、このフレキシブルケーブル５は、表示パネル２の右側長辺部に沿って取り付けられた所定幅の短冊状の基端部５０と、当該基端部５０の縦方向中途部から横方向へ所定長さで帯状に伸延する帯部５１とを有する構成となっている。
【００２９】
かかる表示パネル２をその下方から抱持するように収容する金属製の支持板７は、しぼり部７０ａが形成された底板７０の四辺に所定高さの立縁部７１が形成された扁平箱状となっている。そして、底板７０の右側上部には、前記フレキシブルケーブル５の帯部５１を挿通可能な幅細の矩形開口７２が形成されている。
【００３０】
かかる構成により、フレキシブルケーブル５は、金属製の支持板７の底板７０を利用して、すなわち底板７０の表面で押圧した状態で基端部５０を屈曲させて折り返すとともに、表示パネル２の裏面と金属製の支持板７の底板７０の表面との間をわずかに沿わせた状態で基端部５０から伸延した帯部５１の先端部を支持板７の矩形開口７２に挿通して制御基板６側に向けてさらに折り返し、このまま金属製の支持板７の底板７０の裏面を沿わせて伸延させることにより、制御基板６の接続端子６０に接続することができる。
【００３１】
こうして、フレキシブルケーブル５を、金属製の支持板７に可及的に近接させながら、当該支持板７の表と裏とに沿うようにダブルで折り返すことでケーブル長さを短くし、表示パネル２に略接するように近接配置した制御基板６と接続する構成としたため、金属製の支持板７がフレキシブルケーブル５をシールドすることでアンテナ効果を抑制し、フレキシブルケーブル５によるＥＭＩの発生を防止して電気的ノイズの発生を可及的に防止するとともに、操作性をより向上させながら、表示装置のさらなるコンパクト化を実現することが可能となった。
【００３２】
また、本実施形態では、フレキシブルケーブル５を保護する絶縁フィルム４を設けている。
【００３３】
すなわち、本実施形態に係るフレキシブルケーブル５は複数回屈曲されており、しかも矩形開口７２を挿通する構成であるため、当該フレキシブルケーブル５の補強、保護を目的として、図４に示すように、絶縁フィルム４を、少なくともフレキシブルケーブル５における支持板７に対向する一側面に貼設している。ここでは特に、支持板７に設けた矩形開口７２のエッジ（開口縁）により損傷することがないように、フレキシブルケーブル５の表面であって、支持板７に設けた矩形開口７２に対向する部位に絶縁フィルム４を貼設している。なお、勿論ではあるが、絶縁フィルム４はフレキシブルケーブル５の両側面に貼設してもよい。
【００３４】
また、絶縁フィルム４の配設方法の変形例として、当該絶縁フィルム４を、フレキシブルケーブル５と対向する支持板７の表面に設けることもできる。
【００３５】
例えば、図５に示すように、支持板７に形成した矩形開口７２のエッジ部分を被覆するように、当該エッジ部を中心に折り返すようにして支持板７の表裏面に絶縁フィルム４を貼設している。なお、この例では、絶縁フィルム４は矩形開口７２の一側（立縁部７１側）のエッジ部分にのみ貼設したが、対向する側のエッジ部にも同じ様に絶縁フィルム４を貼設してもよい。
【００３６】
また、他の実施形態として、図６に示すように、筐体１と支持板７の裏面との間に、フレキシブルケーブル５を押圧して保持する押圧部材４０を設けることができる。
【００３７】
かかる押圧部材４０により、フレキシブルケーブル５の屈曲部のふくらみ程度のばらつきをなくし、配設位置や配設姿勢を一様にすることができるため、表示装置毎にＥＭＩの発生傾向などのばらつきがないようにすることができる。
【００３８】
しかも、本実施形態では、かかる押圧部材４０を金属製としており、ＥＭＩの発生防止の効果をより向上させることができる。
【００３９】
また、押圧部材４０は、同じ金属であっても、高周波用磁性材料として好適に用いられるフェライトコアで形成するとなおよい。強磁性を有する金属酸化物からなるフェライトコアは、電気的に絶縁性を有し、ノイズ電流の伝播を防止できるため、ＥＭＩの発生防止の効果をさらに高めることができる。
【００４０】
本実施形態では、座面４５を下ケース１２に設け、この座面４５上に金属製の押圧部材４０を配設している。また、図示するように、フレキシブルケーブル５と支持板７の底板７０との間に絶縁部材４１を配設している。この絶縁部材４１により、支持板７に設けた矩形開口７２のエッジ（開口縁）によりフレキシブルケーブル５が損傷することがない。
【００４１】
ところで、絶縁部材４１に代えて、フレキシブルケーブル５と支持板７の底板７０との間についても押圧部材４０を配設し、フレキシブルケーブル５を上下から挟持するように押圧部材４０，４０を配設することもできる。なお、ここでは、フレキシブルケーブル５と支持板７の底板７０との間に絶縁部材４１や押圧部材４０を配設した構造について説明しているが、フレキシブルケーブル５と支持板７の底板７０との間については、必ずしも絶縁部材４１や押圧部材４０は設けなくても構わない。
【００４２】
また、絶縁部材４１を設ける場合、押圧部材４０のエッジなどでフレキシブルケーブル５が損傷することのないように、絶縁部材４１は押圧部材４０とフレキシブルケーブル５との間に設けることもできる。つまり、絶縁部材４５を設ける場合、クッション性を有する保護部材として機能することが望ましい。
【００４３】
なお、上述した絶縁部材４１に代えて、ここでも絶縁フィルム４を採用することができる。すなわち、図７に示すように、押圧部材４０に当接する部分に、絶縁フィルム４を貼設している。なお、ここでは、押圧部材４０と当接する面の反対面にも絶縁フィルム４を貼設し、フレキシブルケーブル５と支持板７の裏面、特に、矩形開口７２のエッジによる損傷のおそれも回避している。
【００４４】
なお、図示しないが、この場合も、絶縁フィルム４は必ずしもフレキシブルケーブル５に貼設しなければならないわけではなく、少なくとも押圧部材４０の角部を覆うようにして当該押圧部材４０の表面に貼設したり、支持板７の裏面側、特に矩形開口７２のエッジ部分を被覆するように（図５参照）貼設したりすることができる。
【００４５】
上述した実施形態により、以下のような作用効果が期待できる。
【００４６】
（１）フレキシブルケーブル５が一側縁から引き出された表示パネル２を、金属製の支持板７により下方から抱持して構成した表示パネルユニット２０と、フレキシブルケーブル５を介して表示パネル２に接続され、当該表示パネル２の駆動を制御する制御基板６と、を筐体１内に収納した表示装置（電子機器）において、フレキシブルケーブル５の基端側を折り返し、当該フレキシブルケーブル５の先端部を表示パネル２と支持板７との間を沿わせるとともに、支持板７に形成した矩形開口７２を介してさらに折り返し、支持板７の裏面に沿わせて伸延させて制御基板６に接続したために、金属製の支持板７がフレキシブルケーブル５をシールドすることになって、フレキシブルケーブル５によるＥＭＩの発生を防止し、電気的なノイズの発生を可及的に防止することができる。
【００４７】
（２）フレキシブルケーブル５を保護する絶縁フィルム４を設けたために、当該フレキシブルケーブル５の補強、保護が可能となる。特に、支持板７に設けた矩形開口７２のエッジ（開口縁）により損傷することを未然に防止することができる。
【００４８】
（３）絶縁フィルム４を、支持板７に対向するフレキシブルケーブル５の一側面に設けると、フレキシブルケーブル５の補強、保護の目的を達しながら、絶縁フィルム４の貼設作業が比較的簡単で済む。
【００４９】
（４）絶縁フィルム４を、フレキシブルケーブル５と対向する支持板７の表面に設けたために、絶縁フィルム４の貼設位置が明確となり、絶縁フィルム４の長さも短くすることが可能となる。
【００５０】
（５）筐体１と前記支持板７の裏面との間に、フレキシブルケーブル５を押圧して保持する押圧部材４０を設けたために、フレキシブルケーブル５の屈曲状態を一様にすることができ、表示装置毎にＥＭＩの発生傾向などのばらつきがないようにすることができる。
【００５１】
（６）押圧部材４０を金属で形成したために、ＥＭＩの低減に寄与できる。
【００５２】
（７）押圧部材４０をフェライトコアで形成したために、ノイズ電流の伝播を防止してＥＭＩの低減をより確実に図ることができる。
【００５３】
（８）フレキシブルケーブル５が伸延する側に制御基板６が位置するように、当該制御基板６と表示パネルユニット２０とを互いに近接並置したために、表示装置全体をコンパクトにすることができるとともに、装置全体の重量バランスが良好となって、容易に片手で持つことができる。そして、制御基板６上に設けた操作部３を、表示装置を持った手の指による片手操作が行えるため、表示装置としての使い勝手を向上させることができる。
【００５４】
（９）フレキシブルケーブル５は、制御基板６と接続する当該フレキシブルケーブル５の前記先端部に至るまで、支持板７の底板７０に沿った状態で配設されているため、フレキシブルケーブル５を支持板７により確実にシールドすることが可能となる。
【００５５】
以上、実施形態を通して本発明を説明してきたが、本発明はこれらに限定されるものではない。例えば、押圧部材４０に代えて、絶縁フィルム４でフレキシブルケーブル５を支持板７の裏面に固定する構成とすることもできる。
【００５６】
また、上述した各効果は、本発明から生じる最も好適な効果を列挙したに過ぎず、本発明による効果は、本実施の形態に記載されたものに限定されるものではない。
【符号の説明】
【００５７】
１  筐体
２  表示パネル
３  操作部
４  絶縁フィルム
５  フレキシブルケーブル
６  制御基板
７  支持板
２０  表示パネルユニット
４０  押圧部材
４５  絶縁部材
７２  矩形開口
【図１】
2010186080.tif 000003
【図２】
2010186080.tif 000004
【図３】
2010186080.tif 000005
【図４】
2010186080.tif 000006
【図５】
2010186080.tif 000007
【図６】
2010186080.tif 000008
【図７】
2010186080.tif 000009